(57)【要約】  本発明は、体外血液循環部の構成要素を保持するための血液処理モジュールを有する血液処理機の分野に関する。血液処理機(1)は、ハウジング(2)及び血液処理モジュール(3)を有する。医療流体を収容するバッグ(11)等の容器を取付けるためのロッド(20)が、血液処理機(1)のハウジング(2)に取付けられる。血液処理機(1)の使用中、血液処理機(1)の垂直方向及び水平方向の向きは、ハウジング(2)の配向によって定められる。ロッド(20)は、少なくとも第１の部分と第２の部分とを有し、第２の部分の軸線は、第１の部分の軸線と異なる方向に延びる。それにより、ロッド(20)に取付けられた取付け手段(21)への接近を容易にする。ロッド(20)は、直角に曲げられた形態を有しているのがよい。
2008515496.tif 000002
【特許請求の範囲】
【請求項１】
ハウジング（２）及び血液処理モジュール（３）を有する血液処理機（１）であって、血液処理機の使用中、血液処理機の垂直方向及び水平方向の向きは、ハウジングの配向によって定められ、血液処理機に取付けられたロッド状手段（２０）を有し、このロッド状手段の軸線は、前記ハウジングに対して垂直な方向の成分を少なくとも有し、更に、物体を取付けるためにロッド状手段（２０）に連結された取付け手段を有する血液処理機において、
前記ロッド状手段（２０）は、少なくとも第１の部分（２２）と第２の部分（２３）とを有し、前記第２の部分（２３）の軸線は、前記第１の部分（２２）の軸線と異なる方向に延びる、血液処理機。
【請求項２】
前記ロッド状手段(２０)は、前記ハウジング（２）の上境界面に取付けられる、請求項１に記載の血液処理機。
【請求項３】
前記ロッド状手段（２０）は、第１の部分(２２)の軸線を中心に回転するように、血液処理機（１）に取付けられる、請求項１又は２に記載の血液処理機。
【請求項４】
前記第２の部分（２３）は、前記第１の部分（２２）と第３の部分（２４）との間に延び、前記第３の部分（２４）の軸線は、前記第２の部分の軸線に対して異なる方向に延びる、請求項１〜３の何れか１項に記載の血液処理機。
【請求項５】
前記第１の部分（２２）の軸線及び前記第３の部分（２４）の軸線は、平行な方向に延びる、請求項４に記載の血液処理機。
【請求項６】
前記第１の部分（２２）の軸線及び前記第３の部分（２４）の軸線は、前記ハウジング（２）に対して垂直な方向に延びる、請求項５に記載の血液処理機。
【請求項７】
前記取付け手段（２１）の重心の垂直方向の投影と、前記ハウジング（２）の垂直方向の投影とが並んでいる、請求項１〜６の何れか１項に記載の血液処理機。
【請求項８】
前記取付け手段（２１）は、フック形状及び／又はロッド形状の取付け手段（２５，２６）を有する、請求項１〜７の何れか１項に記載の血液処理機。
【請求項９】
前記取付け手段は、前記ハウジング（２）に対して水平方向平面を構成するように十字形に配列されたロッドからなる、請求項８に記載の血液処理機。
【請求項１０】
輸液及び／又は透析液を収容する物体、特にバッグ（１１）等の容器を取付けるためのフック（２６）が、前記ロッドの端部に設けられる、請求項９に記載の血液処理機。
【請求項１１】
前記血液処理モジュール（３）は、体外血液循環部の構成要素を保持するためのものであり、血液処理要素（５）と、患者から前記血液処理要素（５）まで延びる血液供給ラインと、前記血液処理要素（５）から患者まで戻る血液戻りライン（６）と、を有する請求項１〜１０の何れか１項に記載の血液処理機。
【請求項１２】
前記血液処理要素は、半透性膜によって２つの部屋に分割された血液濾過器又は血液透析器であり、前記部屋の一方は、血液供給ライン（４）及び血液戻りライン（６）に接続される、請求項１１に記載の血液処理機。
【請求項１３】
前記血液処理モジュール（３）は、前記体外血液循環部の構成要素を検出するためのアクチュエータ及びセンサ（７，８）を有する、請求項１１に記載の血液処理機。
【請求項１４】
前記血液処理モジュールは、液体を搬送する液体搬送ラインを保持するためのものであり、前記液体搬送ラインは、取付けられた物体を前記体外循環部に接続する、請求項１１〜１３の何れか１項に記載の血液処理機。
【請求項１５】
前記血液処理モジュール（３）は、接続された前記液体搬送ラインを保持するアクチュエータ及び／又はセンサ（１０）を有する、請求項１４に記載の血液処理機。
【発明の詳細な説明】
【技術分野】
【０００１】
本発明は、請求項１の前段に記載した血液処理機の分野に関する。
【背景技術】
【０００２】
体外血液処理のための様々な装置が使用されている。かかる血液処理装置は、血液処理モジュールと、多くの場合、その他のモジュールを有している。血液処理モジュールは、体外血液循環部の保持するのに適している。かかる体外血液循環部の助けをかりて、普通は１回だけの使用を意図した使い捨て部品の形態で、血液が患者から採られ、血液供給ラインを介して血液処理要素に循環され、それから血液戻りラインを介して患者に戻される。例えば、血液処理要素は、血液濾過器であってもよいし、腎臓置換療法のための血液透析器であってもよく、半透性膜によって２つの部屋に分割され、１つの部屋は、その中を流れる体外血液流を有する。この場合、他方の部屋は、除去すべき物質及び／又は液体を除去するのに使用され、血液透析の場合、正常な流体がその中を流れる。
【０００３】
しかしながら、人工呼吸のための酸素発生器や、適当に準備された面要素上の吸着によって或る物質を体外血液から除去するための血液吸収要素等の他の血液処理要素も考えられる。
【０００４】
この目的のために、血液処理モジュールは、体外血液循環部の構成要素を検出し、血液処理を制御し、それを監視するためのポンプ及び／又はバルブ等のセンサ及び／又はアクチュエータを有している。
【０００５】
かかる血液処理において、容器、特にバッグ内にある溶液を、血液処理の間、いつでも使用できるように維持することが必要である。かかる溶液は、血液処理自体のために直接必要とされる溶液であり、例えば、血液透析処理の場合、透析溶液であり、血液濾過処理の場合、置換溶液である。しかしながら、容器及び／又は溶液は、或る状況、例えば、合併症が起こったときにのみ必要とされるに過ぎないことがある。例えば、血液透析処理の間、血圧の急降下があったとき、生理学的食塩水の注入によって反対の作用を生じさせる。
【０００６】
この理由で、いわゆるボトルスタンドとして設計された取付け装置を有する伝統的な注入用ロッドを取付けた血液処理機が広く使用されている。かかる構成は、血液処理機に加えて、別の注入用スタンドを設ける必要がないという利点を有している。血液処理機に取付けられた注入用ロッドを患者の様々な位置に調整するために、注入用ロッドは、ローラとして設計されたスタンド要素に普通取付けられている血液処理機と一緒に移動させられる。
【発明の開示】
【発明が解決しようとする課題】
【０００７】
血液処理機は、かなりの大きさのものであり、且つ、伝統的な構成では、ボトルスタンドが血液処理機の真上にあるので、伝統的な構成は不便である。下方からの最も短い接近による直接的な接近が常にできないので、物品をボトルスタンドに取付けたりそれから取外したりするとき、ボトルスタンドへの接近は困難である。
【０００８】
従って、本発明の目的は、ボトルスタンド等として設計された固着手段への接近を簡単化することを可能にする血液処理機を提供することにある。
【課題を解決するための手段】
【０００９】
この目的は、請求項１の特徴を有する血液処理機によって達成される。有利な実施形態は、従属請求項に記載の事項である。
【００１０】
本発明の血液処理機は、ハウジングと血液処理モジュールとを有し、血液処理装置の使用中、血液処理機の垂直方向及び水平方向の向きは、ハウジングの配向によって定められる。血液処理機には、ロッド状手段が取付けられ、血液処理機の軸線は、ハウジングに対して垂直方向に延びる成分を少なくとも有する。物品を取付けるための取付け手段は、ロッド状手段に連結される。本発明によれば、ロッド状手段は、少なくとも第１部分と第２部分とを有し、第２の部分の軸線は、第１の部分の軸線と異なる方向に延びる。この構成により、取付け手段を、下方からの接近を容易にするようにロッド状手段の領域内に配列することを可能にする。取付け手段の重心の垂直方向の投影とハウジングの垂直方向の投影とが並んでいる実施形態が、本質的に有利である。
【００１１】
図面に示す例示の実施形態に基づいて、本発明を更に詳細に説明する。
【発明を実施するための最良の形態】
【００１２】
図１は、血液処理機１を示し、血液処理機１は、ハウジング２と、血液処理モジュール３とを有している。血液処理モジュール３の形状は、点線で概略的に指示されており、血液処理モジュール３は、体外循環部の構成要素を保持するのに適している。かかる構成要素のうち、図１は、患者（図示せず）から血液処理要素５まで延びる血液流入ライン４と、血液処理要素５から患者に戻る血液戻りライン６とを示している。血液処理要素５は、例えば、半透性膜によって２つの部屋に分割された血液透析器又は血液濾過器からなるのがよい。かかる血液処理要素５は、しばしば、多数の膜繊維を収容する中空ファイバーモジュールの形態で設計され、中空ファイバーモジュールの内部は、その中を流れる体外血液を有している。
【００１３】
簡単のために、図１は、透析流体等の追加液体のためのラインの血液処理要素への接続に関連した体外血液循環部の構成要素、並びに、当業者に知られているその他の要素を示していない。
【００１４】
体外血液循環部の要素は、通常、使い捨て部品として設計され、血液処理モジュール３のアクチュエータ及びセンサに接続され、それにより、血液処理機１は、実際の血液処理を制御し且つ監視することができる。もちろん、アクチュエータ及びセンサ、血液ポンプ７及び静脈クランプ８は、例示としてここに示されている。血液は、血液ポンプ７の助けをかりて、体外循環部内を循環させられる。静脈クランプ８は、警報時に体外循環部内の流れを遮断するのに使用される。
【００１５】
血液処理機１を必要なときに移動させるために、ハウジング２は、その下端に、ローラーとして設計されたスタンド要素１２を有している。ロッド状手段２０がハウジング２の上境界面、即ち、上面１３に回転継手２７によって取付けられている。ロッド状手段２０は、軸線に沿って延び、第１の端部、即ち、下端部から始まり且つハウジング２の上面に対して垂直方向に延びる構成要素を有している。ロッド状手段２０の第２の端部、即ち、上端部のところに、取付け手段２１が設けられ、取付け手段２１は、図１の実施形態では、水平方向の、即ち、ハウジングの上面に対して平行な平面を構成するように十字形態に配列されたロッド２５からなる。物体を取付けるためのフック２６が、ロッド２５の端部に設けられている。ロッド２５は、取付けブロック２８に取付けられ、取付けブロック２８は、ロッド状手段２０に取付けられている。
【００１６】
例示として、輸液流体を充填したバッグとして指示される物体１１が、フック２６の１つから吊り下げられた状態で示されている。バッグ１１は、接続ライン９及びＴ字型接続部品を介して血液戻りライン６に接続されている。この実施形態では、接続ライン９もまた、血液処理モジュール３に設けられた輸液ポンプ１０を介して延びており、要求があれば、輸液を血液処理機１によって制御することができる。
【００１７】
図２は、ロッド状手段２０を詳細に示す。ロッド状手段２０は、３つの部分２２、２３、２４を有している。第１の部分２２は、軸線Ａのところで回転継手２７に取付けられ、ハウジング２まで垂直方向に延びている。第２の部分２３は、第１の部分に２２に接続され、その軸線Ｂは、第１の部分２２が延びる方向と異なる方向に延びている。この実施形態では、軸線Ｂは、水平方向成分と及び垂直方向成分とを有している。これにより、ロッド状手段２０に取付けられた取付け手段２１の垂直方向の投影を、第１の部分２２をハウジング２に固定した箇所に対して水平方向にずらして配置させるという結果が達成される。図１に示す実施形態では、実際には、取付け手段２１の垂直方向の投影は、ハウジング２の垂直方向の投影と並んでいる。従って、取付け手段２１は、従来よりも容易に下方から接近可能である。
【００１８】
図面に示す実施形態では、第３の部分２４がロッド状手段２０の第２の部分２３に連結され、その軸線Ｃは、第１の部分２２の軸線Ａと平行に延びており、即ち、この実施形態では、ロッド状手段２０は、直角に曲げられた形態を有している。
【００１９】
必要なとき、例えば、血液処理機１の運搬や、血液処理中等の個々の場合における空間的な理由で適当なとき、ロッド状手段２０全体を血液処理機１の上境界面の上で回転継手２７によって回動させることを可能にする。
【００２０】
ロッド状手段２０及び／又はその個々の部分は、一部品で設計されてもよいし、多数の構成要素から構成されてもよい。ロッド状手段２０の異なる垂直方向及び水平方向の経路が必要なとき、それを異なる構成要素によって行うことが可能であり、これは、モジュールシステムにより可能になる。
【００２１】
かくして、本発明の血液処理機の設計により、例えば、垂直方向の輸液ロッドが血液処理機のハウジングに取付けられた在来の装置の利点を犠牲にする必要なしに、薬液を収容するバッグの取付け手段への接近を容易にする。
【図面の簡単な説明】
【００２２】
【図１】本発明の血液処理機の実施形態の概略図である。
【図２】図１に示す実施形態のロッド状手段の個々の部分を示す図である。
【図１】
2008515496.tif 000003
【図２】
2008515496.tif 000004
【国際調査報告】
2008515496.tif 000005
2008515496.tif 000006
2008515496.tif 000007
2008515496.tif 000008